(57)【特許請求の範囲】
【請求項１】
１３行×Ｎ列（Ｎ：Ｎ≧３の整数）のマトリックス状に端子が配列された第１の端子群と、
前記第１の端子群と嵌合する、１２行×３列のマトリックス状に端子が配列された第２の端子群と、
を備え、
前記第２の端子群は、同一行の３つの端子のうち、連続する二つの端子が選択的に短絡しており、前記第１の端子群に嵌合したときに前記第１の端子群における同一行の連続する二つの端子を短絡させ前記第１の端子群における奇数列の各端子は、それぞれ所定の電位が印加可能であり、第１〜第４行及び第１０〜第１３行の端子に印加される電位の配置が、Ｘを２Ｘ＋１≦Ｎの自然数としたときに、（２Ｘ−１）列と（２Ｘ＋１）列とで上下反対であり、且つ、第１〜第３行、第６行、第８行、第１１〜第１３行の端子に印加される電位が（２Ｘ−１）列と（２Ｘ＋１）列とで異なり、
前記第１の端子群における偶数列の端子は、前記第２の端子群が嵌合したときに、前記奇数列の端子に印加されている電位を出力する出力手段を有する
ことを特徴とするコネクタ。
【請求項２】
前記第２の端子群は、第１〜第４行において、第１列と第２列の組みまたは第２列と第３列の組みのいずれか一方の組みで短絡し、第１０〜１３行において、第１〜第４行とは異なる組みで短絡していることを特徴とする請求項１に記載のコネクタ。
【請求項３】
前記第１の端子群の出力手段は、第１行と第１３行の端子が並列で接続していることを特徴とする請求項１又は２に記載のコネクタ。
【請求項４】
前記第１の端子群は、配列した前記端子の各偶数列の上下の外側に第１の機能を示す第１の表記を有し、配列した前記端子の奇数列の上下の外側に第２の機能を示す第２の表記を有し、
前記第２の端子群は、配列した前記端子の第１列の上下の外側に第１の指示記号と、配列した前記端子の第２列の上下の外側に第２の指示記号とを有し、
前記第１の端子群と前記第２の端子群とを嵌合した状態で、前記第２の端子群の第１の指示記号が指し示す前記第１の表記と、前記第２の指示記号が指し示す前記第２の表記とが、当該コネクタにより選択された第１及び第２の機能を表している
ことを特徴とする請求項１から３までのいずれかに記載のコネクタ。
【請求項５】
請求項１から４までのいずれかに記載のコネクタを備え、前記コネクタの前記出力手段から出力される電位の組合せに応じて異なる動作を行うことを特徴とする表示装置。
【発明の詳細な説明】
【技術分野】
【０００１】
本発明は、コネクタおよび表示装置に係り、短絡させた端子の組みを複数設け、所定の電位レベルの信号を複数組みで取り出して所望の装置の設定信号を出力するコネクタおよびそのコネクタを備える表示装置に関する。
【背景技術】
【０００２】
近年、家庭電化製品などでは、部品の共通化、モジュール部品の利用などによって、同一部品が複数の仕様にわたって利用される比率が増えている。例えば、液晶テレビでは、表示パネルの大きさや仕向地等、多数の仕様があり、それら多数の仕様に応じて異なる部品を使用すると、製造現場において扱う部品点数が膨大になってしまう。そこで、様々な部品・モジュールを共通化することによって、部品点数の低減が図られている。
【０００３】
そのような共通化部品・モジュールの一つに、システムマイコンがあり、このシステムマイコンは、製品の仕様に応じて異なる動作を行うことができる。そして、所望の動作をさせるために、システムマイコンに予め複数の判別用ポートを割り当て、判別用ポートに入力する信号レベルの組合せに応じて、システムマイコンが所望の動作を行うようになっている。信号レベルは、例えばプル・アップ抵抗やプル・ダウン抵抗などの抵抗値を変えることで所望の組合せで取り出されている。
【０００４】
ところで、この抵抗値を変えるためには、抵抗を取り付ける基板上のマウントを打ち替える必要があるが、種類が多くなると、複数のマウントに対応させるために複数の基板を用意する必要がある。これは生産管理の観点から改善が求められていた。また、設定を変更したい状況下であっては、取り替える必要があるが、急な仕様変更に対応できないという課題があった。
【０００５】
そこで、基板上にマイクロスイッチアレイやディップスイッチを搭載し複数のスイッチを切り替えて、複数の動作に対応できるようにする技術がある（特許文献１参照）。また、プラグの差し込む位置を変更することで、信号を供給する電圧を切り替える技術が開示されている（特許文献２参照）。
【特許文献１】特開昭６１−２７７１９６号公報
【特許文献２】特開２００３−２８２２０４号公報
【発明の開示】
【発明が解決しようとする課題】
【０００６】
ところで、多数の仕様に対応するためには、上述の通りスイッチ等の切り替え作業が多数必要となる。例えば、特許文献１に開示の技術では、複数のスイッチ切り替え作業は、作業者やサービス担当者が手動設定で行う。スイッチの数が多数になると、作業工数が増え、コスト高となってしまうといった課題があった。また、作業者の工数が多くなると、人為的なミスによって誤設定となってしまう可能性が高まってしまう。また、特許文献２に開示の技術では、複数の仕様や機能を設定できないという課題があった。
【０００７】
本発明は上述の状況に鑑みなされたものであって、その目的は、多数の設定に対応可能でその設定を簡易的に実現する技術を提供することにある。
【課題を解決するための手段】
【０００８】
本発明に係る装置は、コネクタに関する。このコネクタは、１３行×Ｎ列（Ｎ：Ｎ≧３の整数）のマトリックス状に端子が配列された第１の端子群と、前記第１の端子群と嵌合する１２行×３列のマトリックス状に端子が配列された第２の端子群と、を備え、前記第２の端子群は、同一行の３つの端子のうち、連続する二つの端子が選択的に短絡しており、前記第１の端子群に嵌合したときに前記第１の端子群における同一行の連続する二つの端子を短絡させ、前記第１の端子群における奇数列の各端子は、それぞれ所定の電位が印加可能であり、第１〜第４行及び第１０〜第１３行の端子に印加される電位の配置が（２Ｘ−１）列と（２Ｘ＋１）列とで上下反対であり、且つ、第１〜第３行、第６行、第８行、第１１〜第１３行の端子に印加される電位が（２Ｘ−１）列と（２Ｘ＋１）列とで異なり、前記第１の端子群における偶数列の端子は、前記第２の端子群が嵌合したときに、前記奇数列の端子に印加されている電位を出力する出力手段を有する。
また、前記第２の端子群は、第１〜第４行において、第１列と第２列の組みまたは第２列と第３列の組みのいずれか一方の組みで短絡し、第１０〜１３行において、第１〜第４行とは異なる組みで短絡してもよい。
また、前記第１の端子群の出力手段は、第１行と第１３行の端子が並列で接続してもよい。
また、前記第１の端子群は、配列した前記端子の各偶数列の上下の外側に第１の機能を示す第１の表記を有し、配列した前記端子の奇数列の上下の外側に第２の機能を示す第２の表記を有し、前記第２の端子群は、配列した前記端子の第１列の上下の外側に第１の指示記号と、配列した前記端子の第２列の上下の外側に第２の指示記号とを有し、前記第１の端子群と前記第２の端子群とを嵌合した状態で、前記第２の端子群の第１の指示記号が指し示す前記第１の表記と、前記第２の指示記号が指し示す前記第２の表記とが、当該コネクタにより選択された第１及び第２の機能を表してもよい。
本発明に係る別の装置は、表示装置に関する。この表示装置は、上述のコネクタを備え、前記コネクタの前記出力手段から出力される電位の組合せに応じて異なる動作を行う。
【発明の効果】
【０００９】
本発明によれば、複数端子をそれぞれ備えるプラグとレセプタクルとを嵌合させて設定を決定する構成としたため、表示装置などの電気機器の動作を、簡易的に多数から選択して設定できる。
【発明を実施するための最良の形態】
【００１０】
つぎに本発明を実施するための最良の形態（以下、単に「実施形態」という）を、図面を参照して具体的に説明する。本実施形態では、液晶テレビにおいて、液晶パネルの大きさ及びパネルタイプに応じて、設定用マイコン（システムマイコン）によって、液晶テレビの設定を３３種類から選択する。そして、設定用マイコンへの設定のために、所望の形状のプラグとレセプタクルが嵌合する構成のコネクタを用いる。
【００１１】
プラグは、基板上に設けられ、１３行×２５列のマトリックス状に配された多数の端子（プラグピン）を備えている。また、レセプタクルは、３列且つ、プラグの端子配列よりも１行少ない１２行に端子（レセプタクルピン）を配列して備える。そしてレセプタクルがプラグの所定の位置に差し込まれると、行方向に連続する二つの端子を短絡させた組合せを所定数だけ作る。つまり、一度のコネクタ接合で、複数の短絡状態のピンの組合せを実現する。そして短絡状態が形成されることで、コネクタから出力する複数の信号のレベルの組合せに応じて、設定用マイコンが、液晶パネルの大きさ及びパネルタイプに適した動作を行う。
【００１２】
本発明に係る装置は、コネクタに関する。このコネクタは、１３行×Ｎ列（Ｎ：Ｎ≧３の整数）のマトリックス状に端子が配列された第１の端子群と、前記第１の端子群と嵌合する１２行×３列のマトリックス状に端子が配列された第２の端子群と、を備え、前記第２の端子群は、同一行の３つの端子のうち、連続する二つの端子が選択的に短絡しており、前記第１の端子群に嵌合したときに前記第１の端子群における同一行の連続する二つの端子を短絡させ、前記第１の端子群における奇数列の各端子は、それぞれ所定の電位が印加可能であり、第１〜第４行及び第１０〜第１３行の端子に印加される電位の配置が（２Ｘ−１）列と（２Ｘ＋１）列とで上下反対であり、且つ、第１〜第３行、第６行、第８行、第１１〜第１３行の端子に印加される電位が、Ｘを２Ｘ＋１≦Ｎの自然数としたときに、（２Ｘ−１）列と（２Ｘ＋１）列とで異なり、前記第１の端子群における偶数列の端子は、前記第２の端子群が嵌合したときに、前記奇数列の端子に印加されている電位を出力する出力手段を有する。
また、前記第２の端子群は、第１〜第４行において、第１列と第２列の組みまたは第２列と第３列の組みのいずれか一方の組みで短絡し、第１０〜１３行において、第１〜第４行とは異なる組みで短絡してもよい。
また、前記第１の端子群の出力手段は、第１行と第１３行の端子が並列で接続してもよい。
また、前記第１の端子群は、配列した前記端子の各偶数列の上下の外側に第１の機能を示す第１の表記を有し、配列した前記端子の奇数列の上下の外側に第２の機能を示す第２の表記を有し、前記第２の端子群は、配列した前記端子の第１列の上下の外側に第１の指示記号と、配列した前記端子の第２列の上下の外側に第２の指示記号とを有し、前記第１の端子群と前記第２の端子群とを嵌合した状態で、前記第２の端子群の第１の指示記号が指し示す前記第１の表記と、前記第２の指示記号が指し示す前記第２の表記とが、当該コネクタにより選択された第１及び第２の機能を表してもよい。
本発明に係る別の装置は、表示装置に関する。この表示装置は、上述のコネクタを備え、前記コネクタの前記出力手段から出力される電位の組合せに応じて異なる動作を行う。
【００１３】
また、液晶テレビ１０は、液晶パネル１２の仕様等に応じた前記調整のためのパラメータをパネル駆動制御部１６に出力する設定用マイコン１８と、液晶パネル１２の仕様に応じて前記パラメータを決定するコネクタ２０とを備える。このコネクタ２０は、プラグ３０及びレセプタクル４０とが嵌合することで、所望の設定を選択する。より具体的には、プラグ３０からは、第１〜第５ポート・ライン３１〜３５の５つのポート・ラインが延出し、設定用マイコン１８の所定の判別用ポートに接続している。そして、第１〜第５ポート・ライン３１〜３５は後述するように所定の電位が印加されている。設定用マイコン１８は、各ポート・ラインの電位の組合せに応じて、液晶パネル１２に表示すべき画像信号の調整のためのパラメータを決定する。
【００１４】
なお、液晶パネル１２の仕様とは、例えば、液晶パネル１２の大きさや、調達元、液晶テレビ１０の仕向地などである。液晶パネル１２の大きさや調達先等によって、液晶パネル１２に表示される色調等は、一般的には映像信号が同一データであっても異なる。したがって、所望の色調等で表示するためには補正（調整）が必要となる。また、仕向地によって好まれる色が異なることもあり、仕向地によって色調等を変えて製品である液晶テレビ１０を出荷することがある。
【００１５】
図２は、プラグ３０の外観を上から示した平面図であり、図３は、プラグ３０の電気的配置を模式的に示した図である。主に図３に示すように、プラグ３０には、横が第１〜第２５列Ｃ１〜Ｃ２５で、縦が第１〜第１３行Ｌ１〜Ｌ１３である１３行×２５列のマトリックス状に端子３９が配列され、第１の端子群を形成している。以下、プラグ３０における、第Ｍ列且つ第Ｎ行の端子位置を、Ｐ（Ｍ，Ｎ）と表記し、例えば、図左上の第１列第１行の端子位置はＰ（１，１）、ほぼ中央の第１２列第６列の端子位置はＰ（１２，６）、右下の第２５列第１３行の端子位置はＰ（２５，１３）と表記する。
【００１６】
プラグ３０の偶数列の所定の端子３９は、それぞれの列において、第１〜第５のポート・ライン３１〜３５に接続されており、第１ポート・ライン３１に接続される端子３９をＡ端子、第２ポート・ライン３２に接続される端子３９をＢ端子、第３ポート・ライン３３に接続される端子３９をＣ端子、第４ポート・ライン３４に接続される端子３９をＤ端子、第５ポート・ライン３５に接続される端子３９をＥ端子と呼び、図中でＡ〜Ｅで表示している。また、各列のＡ端子〜Ｄ端子は、同種類の端子同士が並列に接続され、各ポート・ラインに接続されている。また、ここでは第２２列Ｃ２２は、全ての端子３９がＮＣ（normally closed）端子となっている。
【００１７】
本実施形態において、Ａ〜Ｃ端子は、上下対称に２箇所ずつ設けられている。具体的には、上側の第１〜第４行Ｌ１〜Ｌ４の端子３９のいずれかにＡ〜Ｃ端子が一つずつ設けられ、上側の第１０〜１３行のＬ１０〜Ｌ１３の端子３９のいずれかの位置に上側配置と対称となるようにＡ〜Ｃ端子が一つずつ設けられている。例えば、第２列Ｃ１では、Ａ端子はＰ（２，１）とＰ（２，１３）に、Ｂ端子はＰ（２，２）とＰ（２，１２）に、Ｃ端子はＰ（２，３）とＰ（２，１１）に設けられている。また、第８列Ｃ８では、Ａ端子はＰ（８，３）とＰ（８，１１）に、Ｂ端子はＰ（８，１）とＰ（８，１３）に、Ｃ端子はＰ（８，４）とＰ（８，１０）に設けられている。
【００１８】
また、第４ポート・ライン３４に接続するＤ端子は、各偶数列の第６行Ｌ６に設けられており、第５ポート・ライン３５に接続するＥ端子は、各偶数列の第８行Ｌ８に設けられている。例えば、第２列Ｃ２では、Ｄ端子はＰ（２，６）に、Ｅ端子はＰ（２，８）に設けられている。なお、プラグ３０のＡ〜Ｄ端子以外の偶数列の端子３９は、ＮＣ端子である。
【００１９】
プラグ３０の奇数列の端子３９は、各列において高（Ｈ）、中（Ｍ）、低（Ｌ）のいずれかの所定の電位が印加された状態、またはＮＣ端子となっている。第１行Ｌ１、第２行Ｌ２、第１１行Ｌ１１の端子３９は、高（Ｈ）電位または低（Ｌ）電位のいずれかで且つ同電位に設定される。第３行Ｌ３、第１２行Ｌ１２、第１３行Ｌ１３の端子３９は、高（Ｈ）電位または低（Ｌ）電位のいずれかでかつ、第１行Ｌ１、第２行Ｌ２、第１１行Ｌ１１の端子３９と異なる電位に設定される。
【００２０】
例えば、第１列Ｃ１に着目すると、第１行Ｌ１、第２行Ｌ２及び第１１行Ｌ１１は、言い換えるとＰ（１，１）、Ｐ（１，２）及びＰ（１，１１）の各端子３９は、低（Ｌ）電位に設定されている。また、第３行Ｌ３、第１２行Ｌ１２及び第１３行Ｌ１３は、言い換えるとＰ（１，３）、Ｐ（１，１２）及びＰ（１，１３）の各端子３９は、高（Ｈ）電位に設定されている。以降、第（４Ｊ−３）列（Ｊ；自然数）で表される奇数列においては、端子３９には上述のような電位が設定される。
【００２１】
そして、次の奇数列の第１〜第３行Ｌ１〜Ｌ３，第１１〜第１３行Ｌ１１〜Ｌ１３の端子３９には、上述の同一行の端子３９の電位に対して高（Ｈ）低（Ｌ）が反対の電位が設定される。そして、以降、第（４Ｊ−１）列（Ｊ；自然数）で表される奇数列においては、端子３９にはこのような電位が設定される。例えば、第３列Ｃ３に着目すると、第１行Ｌ１、第２行Ｌ２及び第１１行Ｌ１１は、言い換えるとＰ（３，１）、Ｐ（３，２）及びＰ（３，１１）の各端子３９は、高（Ｈ）電位に設定されている。また、第３行Ｌ３、第１２行Ｌ１２及び第１３行Ｌ１３は、言い換えるとＰ（３，３）、Ｐ（３，１２）及びＰ（３，１３）の各端子３９は、低（Ｌ）電位に設定されている。
【００２２】
さらに、第４行Ｌ４及び第１０行Ｌ１０の奇数列の端子３９は、全ての奇数列において中（Ｍ）電位が印加された状態となっている。そして、第５行、第７行、及び第９行の端子３９は、奇数・偶数列ともＮＣ端子である。また、端子３９の高（Ｈ）と中（Ｍ）に印加される電位は、同抵抗値である第１〜第６のプル・アップ抵抗Ｒ１〜Ｒ６に接続されることで設定されている。具体的には、第１のプル・アップ抵抗Ｒ１は、第１行Ｌ１と第１３行Ｌ１３において高（Ｈ）電位に設定される端子３９に並列に接続されている。第２のプル・アップ抵抗Ｒ２は、第２行Ｌ２と第１２行Ｌ１２の高（Ｈ）電位に設定される端子３９に並列に接続される。第３のプル・アップ抵抗Ｒ３は第３行Ｌ３と第１１行Ｌ１１の高（Ｈ）電位に設定される端子３９に接続される。第４のプル・アップ抵抗Ｒ４は、第４行Ｌ４及び第１０行Ｌ１０の奇数列の端子３９に接続されている。第５のプル・アップ抵抗Ｒ５は、第６行Ｌ６の高（Ｈ）電位に設定される端子３９に接続され、第６のプル・アップ抵抗Ｒ６は、第７行Ｌ７の高（Ｈ）電位に設定される端子３９に接続される。また、低（Ｌ）電位に設定される端子３９はグランド（図示せず）に接続される。
【００２３】
つぎに、上述のプラグ３０に嵌合するレセプタクル４０について説明する。図４は、レセプタクル４０の外観を上から示す平面図であり、図５は、レセプタクル４０の電気的配置を模式的に示す図である。なお、本実施形態では、レセプタクル４０を上下逆さまにした状態でも使用するため、図５（ａ）に示す状態を正状態とし、図５（ｂ）に示すように図５（ａ）のレセプタクル４０を１８０度回転した状態を逆状態とする。
【００２４】
図示のように、レセプタクル４０には、３列×１２行のマトリックス状に端子４９が配列され、第２の端子群を形成している。なお、第Ｓ列且つ第Ｔ行の端子位置を、Ｒ（Ｓ，Ｔ）と表記し、例えば、図５（ａ）に示すように、図左上の第１列第１行の端子位置はＲ（１，１）、ほぼ中央の第２列第６列の端子位置はＲ（２，６）、右下の第３列第１２行の端子位置はＰ（３，１２）と表記する。そして、各行において、横に連続する二つの端子４９が電気的に短絡状態を１組だけ形成した状態にある。具体的には、第１列の端子４９及び第２列の端子４９の組み、または、第２列の端子４９及び３列目の端子４９の組みが、短絡状態にある。そして短絡状態を形成しない端子４９は、ＮＣ端子となっており、図５では端子位置Ｒ（Ｓ，Ｔ）を表示せず破線で示している。
【００２５】
ここでは、第１行〜第５行、７行目、８行目において、第１列及び第２列の端子４９が短絡状態にあり、残りの行は第２列及び第３列の端子４９が短絡状態となっている。例えば、第１行では端子位置がＲ（１，１）とＲ（２，１）の二つの端子４９が短絡状態であり、また、第６行では端子位置がＲ（２，６）とＲ（３，６）の二つの端子４９が短絡状態である。また、図５（ｂ）に示すように、図５（ａ）に示した状態から１８０度回転させた場合、つまり上下逆にした場合、第５行及び８行目において、短絡状態を形成するために選択されている端子４９が異なり、図５（ａ）において、第１列及び第２列の端子４９で短絡状態を形成していたものが、第２列及び第３列の端子４９で短絡状態を形成している。
【００２６】
そしてプラグ３０とレセプタクル４０の外観上の特徴として、まず図２に示すように、プラグ３０の上下外周部分には、液晶パネル１２のサイズを示す数字と、パネルタイプを示す「Ｘ」「Ｙ」「Ｚ」「Ｗ」の文字が記載されている。また、プラグ３０の偶数列の端子３９の上下外縁領域には、係止溝３６が形成されている。一方、図４に示すように、レセプタクル４０の外縁領域で端子４９の上下側には、第１列と第２列の位置に三角の矢印４３，４４が記載されている。また、レセプタクル４０の外縁領域で端子４９の上下側且つ第２列の本図裏側には、プラグ３０の係止溝３６と係止する係止片４２が形成されている。このような構成とすることで、レセプタクル４０の第２列が必ずプラグ３０の偶数列に嵌合する。また、プラグ３０とレセプタクル４０とが嵌合したとき、レセプタクル４０の矢印が指し示すプラグ３０の数字及び文字が、嵌合により選択された液晶パネル１２のサイズ及びパネルタイプとなる。
【００２７】
つづいて、プラグ３０とレセプタクル４０の嵌合状態について示す。図６は、プラグ３０とレセプタクル４０とが嵌合した状態の外観を示しており、図７は、その嵌合状態の電気的な配置を示している。なお、本来プラグ３０に嵌合されるレセプタクル４０は一つであるが、ここでは嵌合状態の説明のために、プラグ３０の左側で嵌合している例と中央で嵌合している例を示している。
【００２８】
まず左側で嵌合している例についてみると、レセプタクル４０の上側の中央の矢印４３は、プラグ３０の外周部分の数字「１６」を指し示し、また、左の矢印４４は、文字「Ｙ／Ｘ」の特に文字「Ｘ」を指し示している。これにより、プラグ３０とレセプタクル４０の嵌合により、液晶パネル１２のサイズが「１６インチ」であり、パネルタイプが「Ｘ」であることが分かる。
【００２９】
つぎに中央で嵌合している例についてみると、レセプタクル４０の下側の中央の矢印４３は、プラグ３０の外周部分の数字「５７」を指し示し、また、右側の矢印４４は、文字「Ｗ／Ｙ」の特に文字「Ｗ」を指し示している。これにより、プラグ３０とレセプタクル４０の嵌合により、液晶パネル１２のサイズが「５７インチ」であり、パネルタイプが「Ｗ」であることが分かる。
【００３０】
以上のように、プラグ３０とレセプタクル４０が嵌合したときに、プラグ３０に表記されたサイズとパネルタイプをレセプタクル４０に表記された矢印４３，４４で指し示す構成としたため、作業者は嵌合作業を間違えずに行える。
【００３１】
図７は、嵌合時の電気的な配置について示した図であり、図６に示した２例について示している。左側の嵌合状態を上述した端子位置で表現すると、レセプタクル４０の左上の端子４９であるＲ（１，１）が、プラグ３０の左上の端子３９であるＰ（１，１）に一致して、レセプタクル４０とプラグ３０が嵌合している。したがって、レセプタクル４０の端子４９の配列はプラグ３０より１行だけ少ないため、プラグ３０の一番下の行である第１３行Ｌ１３は端子同士が嵌合していない空いた状態となっている。また、図中央の嵌合状態では、レセプタクル４０の右下の端子４９であるＲ（３，１２）がプラグ３０の端子位置Ｐ（１３，１３）に一致するように、プラグ３０とレセプタクル４０とが嵌合しており、プラグ３０の一番上の行である第１行Ｌ１の端子３９は、空いた状態となっている。
【００３２】
そして、設定用マイコン１８は、プラグ３０における第１〜第４行Ｌ１〜Ｌ４、及び第１０〜第１３行Ｌ１０〜Ｌ１３に形成される短絡状態により出力される電位の組合せを参照して、制御対象とする液晶パネル１２のパネルのサイズを認識する。さらに、設定用マイコン１８は、第６〜第８行Ｌ６〜Ｌ８に形成される短絡状態により出力される電位の組合せを参照して、制御対処とする液晶パネル１２のパネルのタイプを認識する。
【００３３】
このように、プラグ３０に配された端子３９の行が、レセプタクル４０の端子４９の行より、１行少ない。したがって、プラグ３０におけるある偶数列と、レセプタクル４０の第２列を一致させる嵌合状態は、レセプタクル４０をプラグ３０の上側につめるか下側につめるかで、２種類の嵌合状態を実現できる。さらに、レセプタクル４０を上下逆にした場合に、短絡状態を形成する端子３９，４９の配列がもう２種類増えるため、合計で４種類の嵌合状態を作り出せる。
【００３４】
図８は、プラグ３０の第２列Ｃ２にレセプタクル４０の第２列が一致するようにプラグ３０とレセプタクル４０が嵌合した状態を４種類示している。特に、図８（ａ）は、レセプタクル４０を正状態でプラグ３０の上側につめて嵌合させた状態を示している。また、図８（ｂ）は、レセプタクル４０を正状態でプラグ３０の下側につめて嵌合させた状態を示している。さらにまた、図８（ｃ）は、レセプタクル４０を逆状態でプラグ３０の上側につめて嵌合させた状態を示している。そして、図８（ｄ）は、レセプタクル４０を逆状態でプラグ３０の下側につめて嵌合させた状態を示している。なお、各図の下には、Ａ〜Ｅ端子の電位を示している。
【００３５】
図８（ａ）に示す嵌合状態について、まず液晶パネル１２のサイズを決定するＡ〜Ｃ端子について説明する。Ａ端子は、端子位置Ｐ（２，１）に配されており、低（Ｌ）電位となっている端子位置Ｐ（１，１）の端子３９と短絡して、低（Ｌ）電位に設定されている。また、Ｂ端子は端子位置Ｐ（２，２）及びＰ（２，１２）に配されている。そして、端子位置Ｐ（２，２）のＢ端子は、低（Ｌ）電位になっている端子位置Ｐ（１，２）の端子３９と短絡し、また、端子位置Ｐ（２，１２）のＢ端子は、低（Ｌ）電位になっている端子位置Ｐ（３，１２）の端子３９と短絡し、それぞれ低（Ｌ）電位に設定されている。さらに、Ｃ端子は、端子位置Ｐ（２，３）及びＰ（２，１１）に配されている。そして、端子位置Ｐ（２，３）のＣ端子は、高（Ｈ）電位になっている端子位置Ｐ（１，３）の端子３９と短絡し、また、端子位置Ｐ（２，１１）のＣ端子は、高（Ｈ）電位になっている端子位置Ｐ（１，１１）の端子３９と短絡し、それぞれ高（Ｈ）電位になっている。
【００３６】
なお、Ａ〜Ｃ端子は、プラグ３０の上側（第１〜第４行Ｌ１〜Ｌ４の端子）及び下側（第１０〜第１３行Ｌ１０〜Ｌ１３の端子）にそれぞれ設けられているが、同じ種類の端子３９は並列に接続されて所定のポート・ラインに接続されている。そのため、いずれか一方の端子３９に電位が設定されていれば、ポート・ラインの電位が決定される。
【００３７】
つぎに、パネルタイプを決定する第６行Ｌ６のＤ端子と第８行Ｌ８のＥ端子の電位について説明する。また、Ｄ端子が端子位置Ｐ（２，６）に配されており、高（Ｈ）電位になっている端子位置Ｐ（３，６）の端子３９と短絡して、高（Ｈ）電位に設定されている。そして、Ｅ端子が、端子位置Ｐ（２，８）に配されており、低（Ｌ）電位になっている端子位置Ｐ（１，８）の端子３９と短絡して、低（Ｌ）電位に設定されている。
【００３８】
図８（ａ）の嵌合状態における、Ａ〜Ｅ端子に設定されている電位をまとめると、以下の通りとなる。
Ａ端子：Ｌ
Ｂ端子：Ｌ
Ｃ端子：Ｈ
Ｄ端子：Ｈ
Ｅ端子：Ｌ
【００３９】
つづいて、図８（ｂ）に示す嵌合状態について説明する。この嵌合状態は、図８（ａ）に示した状態に対して、レセプタクル４０を１行下にずらした状態となっている。
【００４０】
上述の図８（ａ）の嵌合状態では、端子位置Ｐ（２，１）のＡ端子が端子位置Ｐ（１，１）の端子３９と短絡していたのに対し、図８（ｂ）の嵌合状態ででは、一番下の第１３行Ｌ１３、つまり、端子位置Ｐ（２，１３）のＡ端子と、低（Ｌ）電圧になっている端子位置Ｐ（３，１３）の端子３９が短絡して、Ａ端子は、低（Ｌ）電位となっている。この結果、Ａ〜Ｃ端子の電位は、図８（ａ）の嵌合状態と同じになる。
【００４１】
一方、Ｄ端子は、端子位置Ｐ（１，６）の端子３９と短絡して、低（Ｌ）電位になっており、Ｅ端子も端子位置Ｐ（１，８）の端子３９と短絡して低（Ｌ）電位となっている。
【００４２】
図８（ｂ）の嵌合状態における、Ａ〜Ｅ端子に設定されている電位をまとめると、以下の通りとなり、パネルサイズを決定するＡ〜Ｃ端子の電位は図８（ａ）同じで、パネルタイプを決定するＤ及びＥ端子では、Ｄ端子の電位が異なる。
Ａ端子：Ｌ
Ｂ端子：Ｌ
Ｃ端子：Ｈ
Ｄ端子：Ｌ
Ｅ端子：Ｌ
【００４３】
つづいて、図８（ｃ）に示す嵌合状態について説明する。この嵌合状態は、図８（ａ）に示した状態に対して、レセプタクル４０を１８０度回転した状態となっている。
【００４４】
図８（ａ）に示した状態と異なる短絡部分について説明すると、端子位置Ｐ（２，８）のＥ端子が端子位置Ｐ（３，８）の端子３９と短絡して高（Ｈ）電位に設定されている。
【００４５】
図８（ｃ）の嵌合状態における、Ａ〜Ｅ端子に設定されている電位をまとめると、以下の通りとなり、パネルサイズを決定するＡ〜Ｃ端子の電位は図８（ａ）及び８（ｂ）と同じで、パネルタイプを決定するＤ及びＥ端子では、Ｅ端子の電位が異なる。
Ａ端子：Ｌ
Ｂ端子：Ｌ
Ｃ端子：Ｈ
Ｄ端子：Ｈ
Ｅ端子：Ｈ
【００４６】
そして、図８（ｄ）に示す嵌合状態について説明する。この嵌合状態は、図８（ａ）に示した状態に対して、レセプタクル４０を１８０度回転し、さらに一行下にずらした状態となっている。言い換えると、図８（ｂ）に示した状態に対してレセプタクル４０を１８０度回転した状態を示している。
【００４７】
図８（ｂ）と異なる短絡部分について説明すると、端子位置Ｐ（２，６）のＤ端子が端子位置Ｐ（３，６）の端子３９と短絡して高（Ｈ）電位に設定されている。
【００４８】
図８（ｄ）の嵌合状態における、Ａ〜Ｅ端子に設定されている電位をまとめると、以下の通りとなり、図８（ａ）の嵌合状態の電位と同一となる。
Ａ端子：Ｌ
Ｂ端子：Ｌ
Ｃ端子：Ｈ
Ｄ端子：Ｈ
Ｅ端子：Ｌ
【００４９】
以上のように、レセプタクル４０の嵌合位置を上下ずらしたり、レセプタクル４０の向きを上下逆転させたりした場合、液晶パネル１２のサイズを決定するＡ〜Ｃ端子の電位は同一で、パネルタイプを決定するＤ及びＥ端子の電位の組合せとして、４つのうち２組が重複するため３通りとなる。
【００５０】
したがって、レセプタクル４０の第２列の位置をどの偶数列に一致させたかで、液晶パネル１２のサイズを決定できる。例えば図８（ａ）に示したように、プラグ３０の第２列Ｃ２にレセプタクル４０の第２列が一致する嵌合状態では、液晶パネル１２のサイズは１６インチである。
【００５１】
図９は、プラグ３０の第２列の端子３９をレセプタクル４０の第１６列Ｃ１６に一致させたときにおける、プラグ３０とレセプタクル４０の４種類の嵌合状態を示している。
【００５２】
特に、図９（ａ）は、レセプタクル４０を正状態でプラグ３０の上側につめて嵌合させた状態を示している。図９（ｂ）は、レセプタクル４０を正状態でプラグ３０の下側につめて嵌合させた状態を示している。図９（ｃ）は、レセプタクル４０を逆状態でプラグ３０の上側につめて嵌合させた状態を示している。図９（ｄ）は、レセプタクル４０を逆状態でプラグ３０の下側につめて嵌合させた状態を示している。
【００５３】
この場合も、図９（ａ）〜図９（ｄ）において、Ａ〜Ｃ端子に設定されている電位の組合せは、いずれの場合も同一であり、Ａ端子が高（Ｈ）電位、Ｂ端子が高（Ｈ）電位、Ｃ端子が中（Ｍ）電位である。
【００５４】
そして、Ｄ端子とＥ端子の電位は、図９（ａ）では、Ｄ端子が低（Ｌ）電位、Ｅ端子が高（Ｈ）電位に設定される。図９（ｂ）では、Ｄ端子が高（Ｈ）電位、Ｅ端子が高（Ｈ）電位に設定される。図９（ｃ）では、Ｄ端子が低（Ｌ）電位、Ｅ端子が低（Ｌ）電位に設定される。図９（ｄ）では、Ｄ端子が低（Ｌ）電位、Ｅ端子が高（Ｈ）電位に設定される。この場合も、図８と同様に、４つのうち２組重複するため３通りである。しかし、図８に示した組合せとは、一部異なり、Ｄ端子とＥ端子の電位の組合せ（「（Ｄ端子電位，Ｅ端子電位）」で表記する）において、（Ｈ，Ｌ）が無い代わりに（Ｌ，Ｈ）があり、（Ｈ，Ｈ）と（Ｌ，Ｌ）は共通である。
【００５５】
図１０は、液晶パネル１２のパネルタイプに対応するＤ端子及びＥ端子の電位の組合せ（Ｄ端子の電位，Ｅ端子の電位）を示した表である。電位の組合せが（Ｈ，Ｌ）のときパネルタイプは「Ｘ」タイプ、（Ｌ，Ｌ）のとき「Ｙ」タイプ、（Ｈ，Ｈ）のとき「Ｚ」タイプ、（Ｌ，Ｈ）のとき「Ｗ」タイプとなる。図８（ａ）〜８（ｄ）に示した嵌合状態では、パネルタイプは「Ｘ」「Ｙ」「Ｚ」の３種類であり、図９（ａ）〜（ｄ）に示した嵌合状態では、「Ｗ」「Ｚ」「Ｙ」の３種類である。なお、重複しない「Ｘ」と「Ｗ」タイプを同一のパネルタイプとすれば、液晶パネル１２のサイズに関わらず、同じ３種類のパネルタイプの選択が可能となる。
【００５６】
図１１は、液晶パネル１２のサイズに対応するＡ〜Ｃ端子の電位の組合せを示した表を示している。なお、表中の「プラグ位置」は、レセプタクル４０の第２列の端子４９が嵌合するプラグ３０の列番号を示している。
【００５７】
例えば、液晶パネル１２のサイズが１６インチの場合、Ａ端子が低（Ｌ）電位、Ｂ端子が低（Ｌ）電位、Ｃ端子が高（Ｈ）電位となり、このときのレセプタクル４０の第２列はプラグ３０の第２列Ｃ２に一致している。また、液晶パネル１２のサイズが４２インチの場合、Ａ端子が低（Ｌ）電位、Ｂ端子が高（Ｈ）電位、Ｃ端子が中（Ｍ）電位となり、このときのレセプタクル４０の第２列はプラグ３０の第８列Ｃ８に一致している。
【００５８】
そして、図１２が、本実施形態のプラグ３０とレセプタクル４０で設定可能な液晶パネル１２のサイズ及びパネルタイプの一覧である。このように、１１種類のサイズと、各サイズにおいて３種類のパネルタイプで、合計３３種類の液晶パネル１２を設定可能となっている。
【００５９】
以上、本実施形態によれば、液晶テレビ１０の設定用マイコン１８の判別用ポートに印加する電圧の多数の組合せを、プラグ３０とレセプタクル４０の二つの構成部品で実現できる。したがって、判別用ポートに印加する電圧の組合せに応じて基板を用意し抵抗を取り付ける必要がなくなる。その結果、製造時の管理工数低減が実現できる。また、同一部品によって設定用マイコン１８の動作を切り替えることができるため、例えば、急な仕様変更に対して柔軟に対応でき、必要とされる基板の確保が容易でタイムリーな基板の供給が可能となる。また、液晶パネル１２の「サイズ」と「仕様」といった複数の項目の組合せを一度の選択で実現できる。また、作業者は、レセプタクル４０をプラグ３０に嵌合するときに、その嵌合位置がプラグ３０の領域を外れた場合は誤挿入であることを容易に判別が可能である。また、プラグ３０が取り付けられている基板上にプラグ３０のサイズや仕様といった機能を表示することで、作業者の選択作業がより正確にできる。
【００６０】
以上、本発明を実施形態をもとに説明した。この実施形態は例示であり、それらの各構成要素の組合せにいろいろな変形例が可能なこと、またそうした変形例も本発明の範囲にあることは当業者に理解されるところである。
【００６１】
図１３は、そのような変形例に係るプラグ３０の電気的配置を模式的に示した図である。図３で示したプラグ３０と異なる部分は、第１０〜第１２行Ｌ１０〜Ｌ１２の端子３９が、ＮＣ端子となっている点である。レセプタクル４０が嵌合したとき第１０〜第１２行Ｌ１０〜Ｌ１２の端子３９の短絡により設定されるＡ〜Ｃ端子の電位と、第２〜第４行Ｌ２〜Ｌ４の端子３９の短絡により設定されるＡ〜Ｃ端子の電位は重複する。したがって、電気的なバランスを考慮した場合、図３に示したような略対称な電気配置が好ましいが、変形例の構成の場合、重複する部分を省略し、プラグ３０の配線を一部省略して簡略化できる。
【００６２】
また、本実施形態では、プラグ３０とレセプタクル４０で構成されるコネクタ２０を、液晶テレビ１０における複数の仕様に対応させて作動する設定用マイコン１８に適用した。しかし、適用対象は、液晶テレビ１０に限らず、ＤＶＤプレーヤや冷蔵庫等の電化製品や、複写機の様なＯＡ（Office Automation）機器に幅広く適用できる。
【図面の簡単な説明】
【００６３】
【図１】本発明の実施形態に係る、液晶テレビの機能ブロック図である。
【図２】本発明の実施形態に係る、プラグの外観を上から示した平面図である。
【図３】本発明の実施形態に係る、プラグの電気的配置を模式的に示した図である。
【図４】本発明の実施形態に係る、レセプタクルの外観を上から示した平面図である。
【図５】本発明の実施形態に係る、レセプタクルの電気的配置を模式的に示した図である。
【図６】本発明の実施形態に係る、プラグとレセプタクルとが嵌合した状態の外観を示した図である。
【図７】本発明の実施形態に係る、プラグとレセプタクルとが嵌合した状態の電気的配置を示した図である。
【図８】本発明の実施形態に係る、プラグの第２列の端子をレセプタクルの第２列に一致してプラグとレセプタクルが嵌合した状態を４種類示した図である。
【図９】本発明の実施形態に係る、プラグの第２列の端子をレセプタクルの第１６列に一致してプラグとレセプタクルが嵌合した状態を４種類示した図である。
【図１０】本発明の実施形態に係る、液晶パネルのパネルタイプに対応するＤ端子及びＥ端子の電位の組合せの一覧表を示した図である。
【図１１】本発明の実施形態に係る、液晶パネルのサイズに対応するＡ〜Ｃ端子の電位の組合せの一覧表を示した図である。
【図１２】本発明の実施形態に係る、プラグとレセプタクルで設定可能な液晶パネルのサイズ及びパネルタイプの一覧表を示した図である。
【図１３】本発明の変形例に係る、プラグの電気的配置を示した図である。
【符号の説明】
【００６４】
１０  液晶テレビ
１２  液晶パネル
１４  ＡＶ部
１６  パネル駆動制御部
１８  設定用マイコン
２０  コネクタ
３０  プラグ
３９  端子
３１  第１ポート・ライン
３２  第２ポート・ライン
３３  第３ポート・ライン
３４  第４ポート・ライン
３５  第５ポート・ライン
４０  レセプタクル
４９  端子
【図１】
0004921267.tif 000002
【図２】
0004921267.tif 000003
【図３】
0004921267.tif 000004
【図４】
0004921267.tif 000005
【図５】
0004921267.tif 000006
【図６】
0004921267.tif 000007
【図７】
0004921267.tif 000008
【図８】
0004921267.tif 000009
【図９】
0004921267.tif 000010
【図１０】
0004921267.tif 000011
【図１１】
0004921267.tif 000012
【図１２】
0004921267.tif 000013
【図１３】
0004921267.tif 000014